【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
ユーザＩＤに対応づけて、接触対象の情報伝達媒体を特定する情報伝達媒体特定情報を含むターゲット属性特定情報を記憶するターゲット特定情報記憶手段、
データ入力を行ったユーザＩＤ、データ入力時期、および入力語を対応づけて記憶する第１記憶手段、
対象となる語が与えられると、前記第１記憶手段から当該対象となる語のデータ入力時期をユーザＩＤ毎に抽出し、抽出したデータ入力時期を時系列順に所定数に区分して、各区分に属するユーザＩＤを抽出する抽出手段、
前記ターゲット特定情報記憶手段に記憶されたターゲット特定情報を用いて、前記抽出したユーザＩＤから、前記各区分における候補情報伝達媒体を抽出し、抽出した候補情報伝達媒体から、１または２以上の代表候補情報伝達媒体を決定し、これにより、前記各区分の時系列順に並べられた代表候補情報伝達媒体を、前記対象となる語に対応して与えられた広告対象名称における広告媒体データとして決定する広告媒体データ決定手段、
を備えたことを特徴とする広告媒体決定装置。
【請求項２】
請求項１の広告媒体決定装置において、
広告対象名称に対応する語が与えられると前記広告媒体データ決定手段に与えるとともに、前記広告対象名称に対応する語を特定し前記抽出手段に与える語特定手段を備えたこと、
を特徴とするもの。
【請求項３】
請求項２の広告媒体決定装置において、
前記第１記憶手段に記憶された語は、カテゴリーに分類されており、
前記語特定手段は、前記広告対象名称に対応する語が属するカテゴリーの語を特定すること、
を特徴とするもの。
【請求項４】
請求項２の広告媒体決定装置において、
前記第１記憶手段に記憶された各語について、データ入力数の時系列変動を表すデータ入力数変動履歴を演算するデータ入力数変動履歴演算手段、
前記演算されたデータ入力数変動履歴を記憶する第２記憶手段、
を備え、
前記語特定手段は、前記各語のデータ入力数変動履歴を表示し、いずれかが選択されると、その語を特定すること、
を特徴とするもの。
【請求項５】
請求項１の広告媒体決定装置において、
広告対象名称およびこれに対応する語が与えられると、前記広告対象名称を前記広告媒体データ決定手段に与えるとともに、前記広告対象名称に対応する語を前記抽出手段に与える語特定手段を備えたこと、
を特徴とするもの。
【請求項６】
請求項１、請求項２、または請求項５の広告媒体決定装置において、
前記所定数に区分する区分決定規則を記憶する区分決定手段を備え、
前記抽出手段は、前記区分決定手段から与えられた区分決定規則を用いて前記ユーザＩＤを抽出すること、
を特徴とするもの。
【請求項７】
請求項１、請求項２、または請求項５の広告媒体決定装置において、
前記第１記憶手段に記憶された語について、データ入力数の時系列変動を表すデータ入力数変動履歴を演算するデータ入力数変動履歴演算手段、
前記演算されたデータ入力数変動履歴を記憶する第２記憶手段、
前記データ入力数変動履歴の形状に基づいて、区分を決定する区分決定手段、
を備え、
前記抽出手段は、前記区分決定手段から与えられた区分を用いて前記ユーザＩＤを抽出すること、
を特徴とするもの。
【請求項８】
請求項７の広告媒体決定装置において、
前記区分決定手段は、前記データ入力数変動履歴の形状変化率が所定以上変化する場合には、新たな区分であると判断して、区分を決定すること、
を特徴とするもの。
【請求項９】
請求項７の広告媒体決定装置において、
前記区分決定手段は、前記データ入力数変動履歴を表示し、与えられた区分データを用いて、区分を決定すること、
を特徴とするもの。
【請求項１０】
請求項１、請求項２、または請求項５の広告媒体決定装置において、
前記第１記憶手段に記憶された語は、カテゴリーに分類されており、
前記語が属するカテゴリーの語の区分で、区分を決定する区分決定手段を備えていること、
を特徴とするもの。
【請求項１１】
請求項２または請求項５の広告媒体決定装置において、
前記第１記憶手段に記憶された各語について、データ入力数の時系列変動を表すデータ入力数変動履歴を演算するデータ入力数変動履歴演算手段、
前記演算されたデータ入力数変動履歴を記憶する第２記憶手段、
を備えており、
前記語特定手段は、修正対象として広告対象名称が入力された場合には、入力された広告対象名称のデータ入力数変動履歴と類似するデータ入力数変動履歴を含む語を特定し、特定した語が前記広告対象名称に対応する語として、前記広告媒体データ決定手段に与えること
を特徴とするもの。
【請求項１２】
請求項２または請求項５の広告媒体決定装置において、
前記第１記憶手段に記憶された各語について、データ入力数の時系列変動を表すデータ入力数変動履歴を演算するデータ入力数変動履歴演算手段、
前記演算されたデータ入力数変動履歴を記憶する第２記憶手段、
を備えており、
前記語特定手段は、修正対象として広告対象名称が入力された場合には、入力された広告対象名称のデータ入力数変動履歴と類似するデータ入力数変動履歴を含む語を特定し、特定した語のデータ入力数変動履歴を表示し、いずれかが選択されると、選択された語を前記広告対象名称に対応する語として、前記広告媒体データ決定手段に与えること
を特徴とするもの。
【請求項１３】
請求項２、請求項５、請求項１１または、請求項１２の広告媒体決定装置において、
前記語は、論理積および論理和のいずれかまたは双方が組み合わされた複数の語であり、
前記抽出手段は、各語についてデータ入力開始時期からデータ入力終了時期までの期間を求め、各区分に属するユーザＩＤを抽出すること、
を特徴とするもの。
【請求項１４】
請求項１３の広告媒体決定装置において、
前記抽出手段は、与えられた論理積演算をおこなうこと、
を特徴とするもの。
【請求項１５】
請求項１３の広告媒体決定装置において、
前記論理積演算は、期間の最大値を求めること、
を特徴とするもの。
【請求項１６】
請求項１３の広告媒体決定装置において、
前記論理積演算は、期間の平均値を求めること、
を特徴とするもの。
【請求項１７】
請求項１３〜請求項１６のいずれかの広告媒体決定装置において、
前記抽出手段は、前記求めた各語についての期間を語毎に正規化してから、前記演算を行うこと、
を特徴とするもの。
【請求項１８】
請求項１７の広告媒体決定装置において、
前記正規化は、データ入力開始時期からデータ入力終了時期までを前記語毎に所定数に区分して、いずれの区分に属するかで前記論理積演算を行うこと、
を特徴とするもの。
【請求項１９】
請求項１８の広告媒体決定装置において、
前記各語の正規化データのうち、論理積演算を行うデータが、他のデータと所定の閾値以上離れている場合には、当該正規化データを無視して論理積演算を行うこと、
を特徴とするもの。
【請求項２０】
請求項１９の広告媒体決定装置において、
前記所定の閾値以上離れているとは、時期が存在しない場合であること、
を特徴とするもの。
【請求項２１】
請求項１３〜請求項１６のいずれかの広告媒体決定装置において、
論理積演算を行う語について時期が存在しない語が存在する場合、それが所定数以下であれば、当該語を無視して論理積演算を行うこと、
を特徴とするもの。
【請求項２２】
コンピュータに、1)ユーザＩＤに対応づけて、接触対象の情報伝達媒体を特定する情報伝達媒体特定情報を含むターゲット属性特定情報、および2)データ入力を行ったユーザＩＤ、データ入力時期、およびデータ入力語を対応づけた語データを記憶させておき、
前記コンピュータは、ある語が与えられると、前記第１記憶手段から当該語のデータ入力時期をユーザＩＤ毎に抽出し、抽出した時期を時系列順に所定数に区分して、各区分におけるユーザＩＤを抽出し、
前記コンピュータは、前記記憶されたターゲット特定情報を用いて、前記抽出したユーザＩＤから、前記各区分における候補情報伝達媒体を抽出し、抽出した候補情報伝達媒体から、１または２以上の代表候補情報伝達媒体を決定し、これにより、前記各区分の時系列順に並べられた代表候補情報伝達媒体を、前記語に対応して与えられた広告対象名称における広告媒体データとして決定すること、
を特徴とするコンピュータによる広告媒体決定方法。
【請求項２３】
語が与えられると、データ入力を行ったユーザＩＤ、入力時期、および入力語を対応づけて記憶させた結果データ記憶装置から当該語の入力時期をユーザＩＤ毎に抽出し、抽出した入力時期を抽出した時期について、データ入力開始時期からデータ入力終了時期まで時系列順に所定数に区分して、各区分におけるユーザＩＤを抽出する抽出手段、
ユーザＩＤに対応づけて記憶された、接触対象の情報伝達媒体を特定する情報伝達媒体特定情報を含むターゲット属性特定情報を用いて、前記抽出したユーザＩＤから、前記各区分における候補情報伝達媒体を抽出し、抽出した候補情報伝達媒体から、１または２以上の代表候補情報伝達媒体を決定し、これにより、前記各区分の時系列順に並べられた代表候補情報伝達媒体を、前記語に対応して与えられた広告対象名称における広告媒体データとして決定する広告媒体データ決定手段、
を備えたことを特徴とする広告媒体決定装置。
【請求項２４】
コンピュータに以下のステップ1)、2)を実行させるためのプログラム。
1)語が与えられると、データ入力を行ったユーザＩＤ、データ入力時期、および語を対応づけて記憶させた結果データ記憶装置から当該語のデータ入力時期をユーザＩＤ毎に抽出し、抽出したデータ入力時期を時系列順に所定数に区分して、当該語についてデータ入力開始時期からデータ入力終了時期までを所定数に区分して、各区分におけるユーザＩＤを抽出する抽出ステップ、
2)ユーザＩＤに対応づけて記憶された、接触対象の情報伝達媒体を特定する情報伝達媒体特定情報を含むターゲット属性特定情報を用いて、前記抽出したユーザＩＤから、前記各区分における候補情報伝達媒体を抽出し、抽出した候補情報伝達媒体から、１または２以上の代表候補情報伝達媒体を決定し、これにより、前記各区分の時系列順に並べられた代表候補情報伝達媒体を、前記語に対応して与えられた広告対象名称における広告媒体データとして決定する広告媒体データ決定ステップ。
【請求項２５】
第１のコンピュータに、1)ユーザＩＤに対応づけて、接触対象の情報伝達媒体を特定する情報伝達媒体特定情報を含むターゲット属性特定情報、および2)データ入力を行ったユーザＩＤ、データ入力時期、および語を対応づけた語データを記憶させておき、
第２のコンピュータは、ある語が与えられると、前記第１のコンピュータから当該語のデータ入力時期をユーザＩＤ毎に抽出し、抽出したデータ入力時期を時系列順に所定数に区分して、各区分におけるユーザＩＤを抽出し、
前記第２のコンピュータは、前記記憶されたターゲット特定情報を用いて、前記抽出したユーザＩＤから、前記各区分における候補情報伝達媒体を抽出し、抽出した候補情報伝達媒体から、１または２以上の代表候補情報伝達媒体を決定し、これにより、前記各区分の時系列順に並べられた代表候補情報伝達媒体を、前記語に対応して与えられた広告対象名称における広告媒体データとして決定すること、
を特徴とするコンピュータによる広告媒体決定方法。